(57)【要約】【課題】居室親機からの呼出に管理人が不在で応答せず呼出が終了した場合、サーバーに呼出情報を不在着信履歴として登録し、さらに、管理室親機と管理パソコンで不在着信履歴を表示、確認、および削除する。【解決手段】居室親機１ａ、１ｂ、・・・から管理室親機５ａ、５ｂ、５ｃ、５ｄ、・・・へ呼出を行い、一定時間内に管理室親機が応答せず呼出が終了した場合、制御機７の制御により居室親機の部屋番号、日時を有する呼出情報を不在着信履歴として記憶し、その不在着信を後で管理人が確認できるサーバー８を備えている。また、ＨＵＢ１０により形成されたネットワークを介して全ての管理室親機に対する不在着信履歴を確認できる管理パソコン９を備えている。【選択図】図１
2007096716.tif 000002
【特許請求の範囲】
【請求項１】
集合住宅の玄関に設置される集合玄関機（３）と、集合住宅の各居室に設置され前記集合玄関機からの呼出に応じて通話する居室親機（１a、１b、・・・）と、集合住宅の管理室に設置され前記集合玄関機、前記居室親機からの呼出に応じて又は前記居室親機を呼出して通話する管理室親機（５ａ、５ｂ、５ｃ、５ｄ、・・・）と、前記居室親機、前記管理室親機、前記集合玄関機を制御する制御機（７）とを備え、
前記居室親機から前記管理室親機へ呼出を行い、一定時間内に前記管理室親機が応答せず呼出が終了した場合、前記制御機の制御により前記居室親機の部屋番号、日時を有する呼出情報を不在着信履歴として記憶し、その不在着信を後で管理人が確認するためのサーバー（８）を備えていることを特徴とする集合住宅インターホンシステム。
【請求項２】
新たな不在着信履歴が前記サーバーに記憶されたとき、前記管理室親機にて不在着信の有無を表示する機能を有することを特徴とする請求項１記載の集合住宅インターホンシステム。
【請求項３】
前記管理室親機の操作により、前記サーバーにアクセスし、不在着信履歴を一覧表示する機能を有することを特徴とする請求項１又は請求項２記載の集合住宅インターホンシステム。
【請求項４】
前記管理室親機の操作により、前記サーバーにアクセスし、不在着信履歴に対して確認済みか否かの情報を更新する機能を有することを特徴とする請求項１乃至請求項３の何れか１項記載の集合住宅インターホンシステム。
【請求項５】
前記管理室親機の操作により、前記サーバーにアクセスし、表示された不在着信履歴のうち、未確認の履歴のみを表示する機能を有することを特徴とする請求項４記載の集合住宅インターホンシステム。
【請求項６】
前記管理室親機の操作により、前記サーバーにアクセスし、不在着信履歴を削除する機能を有することを特徴とする請求項１乃至請求項５の何れか１項記載の集合住宅インターホンシステム。
【請求項７】
前記集合住宅インターホンシステムの動作を管理する管理パソコン（９）の操作により、前記サーバーにアクセスし、全ての管理室親機に対する不在着信履歴を表示する機能を有することを特徴とする請求項１乃至請求項６の何れか１項記載の集合住宅インターホンシステム。
【請求項８】
前記管理パソコンの操作により、前記サーバーにアクセスし、全ての管理室親機に対する不在着信履歴に対して確認済みか否かの情報を更新する機能を有することを特徴とする請求項７記載の集合住宅インターホンシステム。
【請求項９】
前記管理パソコンの操作により、前記サーバーにアクセスし、全ての管理室親機に対する不在着信履歴を削除する機能を有することを特徴とする請求項７又は請求項８記載の集合住宅インターホンシステム。
【発明の詳細な説明】
【技術分野】
【０００１】
本発明は集合住宅インターホンシステムに係り、特に管理人が不在時に居室から呼出があった場合、サーバーに不在着信履歴を記憶し、その呼出を後で管理人が確認できる機能を有する集合住宅インターホンシステムに関する。
【背景技術】
【０００２】
従来から、管理人が不在時に居室から呼出があった場合、その呼出を後で管理室親機に居室からのメッセージとして残す集合住宅インターホン装置が知られている（例えば、特許文献１参照）。
【０００３】
特許文献１に記載された発明は、管理人が管理室を留守にする際に、管理室親機を留守設定にすることにより集合住宅の居住者から管理室の管理人への呼出時において居住者からの伝言(メッセージ)を録音装置に録音させ、その伝言の有無を管理室親機に出力表示させることで確認可能にするとともに、録音装置に録音された伝言は管理室親機により再生、消去することができるようにしたものである。
【０００４】
【特許文献１】特開２０００−９２２２４号公報
【発明の開示】
【発明が解決しようとする課題】
【０００５】
しかしながら、上記したような従来の集合住宅インターホンシステムでは、管理人が不在時に居室から呼出があって、住居人がメッセージを残さなかった場合、管理人は居室からの呼出があったことを知る術が無く、住居人の要求に対して迅速に対応ができなかった。
【０００６】
本発明は、この難点を解決するためになされたもので、居室からの呼出に管理人が不在で応答せず呼出が終了した場合、サーバーに呼出情報を不在着信履歴として登録し、さらに、管理室親機と管理パソコンにより不在着信履歴を表示、確認、および削除する機能を有し、住居人の要求に対して迅速な対応を行うことができるシステムを提供することを目的とする。
【課題を解決するための手段】
【０００７】
本発明の集合住宅インターホンシステムは、まず第１の態様として、集合住宅の玄関に設置される集合玄関機と、集合住宅の各居室に設置され集合玄関機からの呼出に応じて通話する居室親機と、集合住宅の管理室に設置され集合玄関機、居室親機からの呼出に応じて又は居室親機を呼出して通話する管理室親機と、居室親機、管理室親機、集合玄関機を制御する制御機とを備え、
居室親機から管理室親機へ呼出を行い、一定時間内に管理室親機が応答せず呼出が終了した場合、制御機の制御により居室親機の部屋番号、日時を有する呼出情報を不在着信履歴として記憶し、その不在着信を後で管理人が確認するためのサーバーを備えていることを特徴とする。
【０００８】
また本発明の集合住宅インターホンシステムは、第２の態様として、第１の態様において、新たな不在着信履歴がサーバーに記憶されたとき、管理室親機にて不在着信の有無を表示する機能を有することを特徴とする。
【０００９】
さらに本発明の集合住宅インターホンシステムは、第３の態様として、第１又は第２の態様において、管理室親機の操作により、サーバーにアクセスし、不在着信履歴を一覧表示する機能を有することを特徴とする。
【００１０】
また本発明の集合住宅インターホンシステムは、第４の態様として、第１乃至第３の態様において、管理室親機の操作により、サーバーにアクセスし、不在着信履歴に対して確認済みか否かの情報を更新する機能を有することを特徴とする。
【００１１】
さらに本発明の集合住宅インターホンシステムは、第５の態様として、第４の態様において、管理室親機の操作により、サーバーにアクセスし、表示された不在着信履歴のうち、未確認の履歴のみを表示する機能を有することを特徴とする。
【００１２】
また本発明の集合住宅インターホンシステムは、第６の態様として、第１乃至第５の態様において、管理室親機の操作により、サーバーにアクセスし、不在着信履歴を削除する機能を有することを特徴とする。
【００１３】
さらに本発明の集合住宅インターホンシステムは、第７の態様として、第１乃至第６の態様において、集合住宅インターホンシステムの動作を管理する管理パソコンの操作により、サーバーにアクセスし、全ての管理室親機に対する不在着信履歴を表示する機能を有することを特徴とする。
【００１４】
また本発明の集合住宅インターホンシステムは、第８の態様として、第７の態様において、管理パソコンの操作により、サーバーにアクセスし、全ての管理室親機に対する不在着信履歴に対して確認済みか否かの情報を更新する機能を有することを特徴とする。
【００１５】
さらに本発明の集合住宅インターホンシステムは、第９の態様として、第７又は第８の態様において、管理パソコンの操作により、サーバーにアクセスし、全ての管理室親機に対する不在着信履歴を削除する機能を有することを特徴とする。
【発明の効果】
【００１６】
本発明の第１の態様によれば、居室親機の部屋番号、日時を有する呼出情報を不在着信履歴としてサーバーに記憶することにより、その不在着信の全てを後で管理人が確認することができる。
【００１７】
本発明の第２の態様によれば、不在着信履歴がサーバーに記憶されたときに直ちに管理室親機にて不在着信の有無を確認できるようになる。
【００１８】
本発明の第３の態様によれば、管理室親機から不在着信履歴を一覧として確認することができる。
【００１９】
本発明の第４の態様によれば、不在着信履歴に対して確認済みか否かの情報を随時更新できるので常に確認の有無に関する最新の状況を取得することができる。
【００２０】
本発明の第５の態様によれば、未確認の履歴のみを表示することができるので、確認行為を失念することがない。
【００２１】
本発明の第６の態様によれば、不在着信履歴を随時削除し整理することができる。
【００２２】
本発明の第７の態様によれば、全ての管理室親機に対する不在着信履歴を管理パソコンにより把握することができる。
【００２３】
本発明の第８の態様によれば、全ての管理室親機に対する不在着信履歴に対して確認済みか否かの情報を管理パソコンにより把握することができる。
【００２４】
本発明の第９の態様によれば、全ての管理室親機に対する不在着信履歴を管理パソコンからも削除することができる。
【発明を実施するための最良の形態】
【００２５】
次に本発明の好ましい実施の形態例について図面を参照して説明する。
【００２６】
まず、図１は本発明のシステム構成の一例を表す図である。
【００２７】
図１に示すように、本発明の集合住宅インターホンシステムは、各居室内に設置される居室親機１a、１ｂ、・・・と、居室親機を制御する居室親機用中継器２a、２ｂ、・・・と、管理室に設置される管理室親機５ａ、５ｂ、５ｃ、５ｄ、・・・と、管理室親機を制御する管理室親機用中継器６ａ、６ｂ、６ｃ、６ｄ、・・・と、集合住宅の玄関に設置される集合玄関機３と、集合玄関機を制御する集合玄関機用中継器４と、居室親機、管理室親機、集合玄関機間の通信を制御する制御機７と、個人情報及びシステム情報を持ったサーバー８とシステムの動作を管理する管理パソコン９と、制御機、サーバー、管理パソコンとネットワークを形成するためのＨＵＢ１０とから構成されている。ここで、管理室親機は一または複数の管理室親機が一つのグループを構成し、このグループは例えば、管理室グループ１（管理室親機５ａ、５ｂ）、管理室グループ２（管理室親機５ｃ、５ｄ）、・・・というように複数のグループからなっている。
【００２８】
上記のようなシステム構成において、管理室親機５ａ、５ｂ、５ｃ、５ｄ、・・・は中継器６ａ、６ｂ、６ｃ、６ｄ、・・・を介して制御機７と伝送線Ｌ１によりバス接続されており、また各居室親機１ａ、１ｂ、・・・は中継器２ａ、２ｂ、・・・を介して制御機７と伝送線Ｌ３によりバス接続されている。さらに、サーバー８と管理パソコン９はＨＵＢ１０を介して制御機７とそれぞれ伝送線Ｌ２によりネットワーク（ＬＡＮ）接続されており、集合玄関機３は中継器４を介して伝送線Ｌ４により制御機７と接続されている。
【００２９】
ここで、本発明の集合住宅インターホンシステムの動作について説明する。
【００３０】
一例として、居室親機から管理室親機への不在着信履歴をサーバーに記憶し、管理室親機に不在着信有りの表示をする動作を説明する。
【００３１】
居室親機から管理室親機への呼出は、例えば管理室グループ１の管理室親機５ａ、５ｂ、あるいは管理室グループ２の管理室親機５ｃ、５ｄというようにグループ単位で行われる。居室親機が目的とする管理室グループ内の管理室親機を呼び出した際に、一定時間内にその管理室グループ内に属する全ての管理室親機（例えば、管理室グループ１内の管理室親機５ａ、５ｂ）が通話操作を行わない状態で居室親機が呼出操作を終了した場合は、制御機が当該居室親機および管理室グループ内の管理室親機に対して呼出を終了させる。このとき、制御機からサーバーにＨＵＢ１０により形成されたネットワークを介して呼出情報を送信し、サーバーは受信した呼出情報を該当する管理室グループ毎に不在着信履歴として記憶する。
【００３２】
図２にサーバーが記憶する不在着信履歴の表示例を示す。図２で表示されているように、サーバー内には管理室グループ毎（管理室グループ１、管理室グループ２、管理室グループ３、・・・）の不在着信履歴が記憶されており、サーバーが管理室親機から不在着信履歴の取得要求を受信した際に要求元管理室親機が属する管理室グループの不在着信履歴を要求元管理室親機に送信するようになっている。
【００３３】
そしてサーバーは呼出状態にあった管理室グループに属する全ての管理室親機に対して不在着信通知を行い、通知を受けた当該管理室親機は自表示装置に「不在着信有り」を示すテロップとＬＥＤを点灯させる。
なお、管理室グループ内の管理室親機の数は本実施の形態では各管理室グループ毎にそれぞれ２台で説明しているが台数に制限があるわけではなく、もちろん管理室グループは管理室親機１台の場合にも適用される。
【００３４】
次に、管理室親機が所属する管理室グループの不在着信履歴を表示する動作を説明する。
【００３５】
管理室親機側で特定の操作を行うことにより、サーバーからその管理室親機が所属する管理室グループの不在着信履歴を取得し、呼出が発生した日時と呼出元である居室の情報を当該管理室親機の表示装置に映し出す。このとき取得した不在着信履歴には、管理人が履歴を確認したか否かを示す情報が付与されており、一目で未確認の履歴が分かる表示形態となっている。さらに、管理室親機側で特定の操作を行うことにより、取得した履歴の中から管理人が履歴を確認したか否かを示す情報を参照し、未確認の履歴のみを抽出し、当該管理室親機の表示装置に映し出すようにしてもよい。このようにすると確認行為を失念することがなく、居住者からの呼出に確実に対応することができる。
【００３６】
次に、管理室親機にて未確認の不在着信履歴を確認済みに更新する動作と削除する動作を説明する。
【００３７】
管理室親機に表示された不在着信履歴のうち未確認の不在着信履歴を選択し特定の操作を行うことにより、サーバーにネットワークを介してアクセスし、未確認の不在着信履歴を確認済みに更新することができる。さらに、管理室親機から不在着信履歴を選択し特定の操作を行うことにより、サーバーにアクセスし、管理室親機が所属する管理室グループの不在着信履歴を削除することが可能である。このようにして随時不在着信履歴の整理を行うことができる。
【００３８】
図３に管理室親機における不在着信履歴一覧の表示例を示す。ここで、不在着信履歴は、着色して示したように管理人が履歴を確認済みが否か一目で分かるよう色分けして表示される。ここで、確認済みは着色、未確認は未着色の表示を行なっている。また、未確認一覧表示ボタンを押すと不在着信履歴のうち未確認の履歴の一覧を再表示できるようになっている。不在着信履歴のどれか一つを選択して確認ボタンを押すと、選択した不在着信履歴を確認済みに更新して再表示させることができる。もし不在着信履歴をどれも選択しない場合には全件確認済みとすることもできる。その場合には全件確認済みに更新してよいかを問い合わせる表示を行ってもよい。さらに、確認済みの不在着信履歴のどれか一つを選択して削除ボタンを押すと、選択した不在着信履歴を削除することができる。もし不在着信履歴をどれも選択しない場合には全件削除とすることもできる。この場合にも全件削除に更新してよいかを問い合わせる表示を行ってもよい。なお、１件ずつ確認済みあるいは削除を行なう場合でも確認済みあるいは削除を行なう度に更新してよいかを問い合わせるようにしてもよい。また、サーバーで記憶できる不在着信履歴件数の上限を超えた場合、古い不在着信履歴から順に削除されるようにしてもよい。
【００３９】
上記した実施の形態は管理室親機からサーバーにアクセスして不在着信履歴を表示、確認、削除を行なう例についての説明であるが、ネットワークに接続されている管理パソコンからはサーバーにアクセスしてシステムに存在する全ての管理室グループに対する不在着信履歴の表示、確認および削除を行なうことが可能である。管理パソコンから不在着信履歴の表示、確認および削除を行なう場合でも上記したような管理室親機から行なった動作と同様に行なうことができる。
【００４０】
以上説明したように本発明の集合住宅インターホンシステムは、管理人が不在であっても居住者からの呼出に関して全ての着信履歴を残すことができるので、居住者に対する対応が迅速かつ確実に行なうことが可能となる。
【図面の簡単な説明】
【００４１】
【図１】本発明の一実施の形態のシステム構成図である。
【図２】本発明のシステムにおける不在着信履歴の表示例である。
【図３】本発明のシステムにおける不在着信履歴一覧の表示例である。
【符号の説明】
【００４２】
１ａ、１ｂ・・・・・・・・・居室親機
２ａ、２ｂ・・・・・・・・・居室親機用中継器
３・・・・・・・・・・・・・集合玄関機
４・・・・・・・・・・・・・集合玄関機用中継器
５ａ、５ｂ、５ｃ、５ｄ・・・管理室親機
６ａ、６ｂ、６ｃ、６ｄ・・・管理室親機用中継器
７・・・・・・・・・・・・・制御機
８・・・・・・・・・・・・・サーバー
９・・・・・・・・・・・・・管理パソコン
１０・・・・・・・・・・・・ＨＵＢ
【図１】
2007096716.tif 000003
【図２】
2007096716.tif 000004
【図３】
2007096716.tif 000005